(57)【特許請求の範囲】
【請求項１】
天板と、
前記天板の下面に配置され、内部にＬＥＤユニットを収納するＬＥＤカバーと、
前記ＬＥＤカバーの下面の外周を支持し、内部にリード線挿通孔を有する複数の支柱と、
前記支柱の下端に一体的に形成される本体と、
一端が前記支柱の前記リード線挿通孔を介して前記本体の内部の充電部に接続され、他端が前記ＬＥＤユニットに接続されるリード線と、を備え、
前記支柱の断面は、前記本体の中央側よりも外方側の方が細く形成されている照明器具。
【請求項２】
請求項１に記載の照明器具において、
前記支柱と前記本体とが交わる面が、前記本体の中央側から外方側に向かうにしたがってＬＥＤユニットから遠ざかる方向へ傾斜している照明器具。
【発明の詳細な説明】
【技術分野】
【０００１】
本発明は、例えば建物の周辺、公園、通路等を照射する屋外の景観照明用に適用される照明器具に関する。
【背景技術】
【０００２】
屋外の景観照明用に適用される照明器具として、地面よりも下方に設けられた発光部と、発光部からの光を上方へ導く透光性を有する導光部と、導光部の上端において導光部によって導かれた光を反射させる反射部とを備えた照明器具が知られている（例えば、特許文献１参照）。
また、屋外の景観照明用に適用される照明器具として、ＬＥＤ光源と、ＬＥＤ光源から出射される光を所定の方向に制御するレンズと、レンズが配設されるカバーと、ＬＥＤ光源、レンズ、およびカバーを所定の高さに保持する筺体とを備える照明器具が知られている（例えば、特許文献２参照）。
【先行技術文献】
【特許文献】
【０００３】
【特許文献１】特開２００９−１０４８６８号公報（図１、請求項１）
【特許文献２】特開２００７−１３４１４２号公報（図１、段落番号００１０）
【発明の概要】
【発明が解決しようとする課題】
【０００４】
前述した特許文献１に記載された照明器具は、透光性を有する導光部によって消灯時に景観を損ねることがない演出ができる。
前述した特許文献２に記載された照明器具は、ＬＥＤ光源からの光をレンズにより効率良く配光できる。
【０００５】
一般的に、屋外の景観照明用に適用される照明器具には、以下の３つの要望がある。要望の１つ目は省エネかつ足元の明かりを確保できることである。要望の２つ目は堅牢であることである。要望の３つ目は省スペースでも設置できるようにコンパクトであることである。
上記の要望のうち、１つ目の省エネについては、ＬＥＤ光源を用いることにより実現できる。しかし、ＬＥＤ基板に実装されたＬＥＤ光源は、実装面側のみ光を照射するために、足元を効率よく照射するのに、ＬＥＤを照明器具の上部に配置し、ＬＥＤ光源の実装面を下向きに配置することが有効である。
上記の要望のうち、２つ目の堅牢性については、ＬＥＤ光源を覆うカバーを外観に極力出さないようにして、壊れにくい部材で外力から保護することが望ましい。
【０００６】
そこで、図１１に示すように、上記の要望を解決するための照明器具１００が提案されている。この従来の照明器具１００は、天板部１０１と、支柱部１０２と、本体部１０３とから構成されて本体部１０３がポール１０４に取り付けられている。天板部１０１においてリング状の天板１０５内に複数のＬＥＤ光源１０６が収納されており、この天板１０５がポール１０４よりも大きく張り出していることによりポール１０４の根元にも光が届く。天板部１０１の天板１０５はアルミダイカスト製である。ＬＥＤ光源１０６は、実装面を下にして下面から天板１０５にネジ止めされている。
【０００７】
図１２に示すように、ＬＥＤ光源１０６は下面がアクリル製のカバー１０７で保護されている。このカバー１０７は天板１０５の下方開口に相似する細長い板形状であり、天板１０５にネジ１０８によりネジ止めされたカバー取付金具１０９で両端が保持されている。
カバー１０７は天板１０５の最下面よりも一段内部に奥まった位置に取り付けられているため、水平よりも上からの外力に対しては天板１０５で保護されて壊れにくい構造になっている。
【０００８】
図１３、図１４に示すように、支柱部１０２の支柱１１０は天板１０５と本体部１０３とを接続し、その間のリード線１１１を隠す役割がある。支柱１１０は鋼管で構成されており、内部にリード線１１１が挿通されている。支柱１１０の天板１０５側の先端には鋼板部１１２が溶接されており、この鋼板部１１２と天板１０５とがネジ止めされることにより天板１０５部分が支えられている。
本体部１０３は、支柱部１０２と天板部１０１とを支える役目と、ＬＥＤ光源１０６の電源部１１３を収納する役目がある。本体部１０３は、支柱１１０の根元がナット１１４により固定されることにより、天板部１０１と支柱部１０２と本体部１０３とともに一体に形成される。
【０００９】
しかし、このような従来の照明器具１００では、上述した３つの要望のうち、１つ目の省エネかつ足元の明かりを確保できること、および、２つ目の堅牢であることは実現できる。しかし、カバー取付金具１０９でカバー１０７を保持し、さらに支柱１１０に溶接された鋼板部１１２で天板１０５と接続している。
そのため、このような従来の照明器具１００では、小型化するには、鋼板部１１２の面積を考慮しなければならない。
従って、このような従来の照明器具１００では、天板１０５を大きくせざるを得なくなって省スペースでも設置できるように小型化できない。
【００１０】
本発明は、前述した課題を解決するためになされたものであり、その目的は、省スペースでも設置できるように小型化できる照明器具を提供することにある。
【課題を解決するための手段】
【００１１】
本発明に係る照明器具は、天板と、天板の下面に配置され、内部にＬＥＤユニットを収納するＬＥＤカバーと、ＬＥＤカバーの下面の外周を支持し、内部にリード線挿通孔を有する複数の支柱と、支柱の下端に一体的に形成される本体と、一端が支柱のリード線挿通孔を介して本体の内部の充電部に接続され、他端がＬＥＤユニットに接続されるリード線と、を備え、支柱の断面は、本体の中央側よりも外方側の方が細く形成されている。
【００１３】
本発明に係る照明器具は、支柱と本体とが交わる面が、本体の中央側から外方側に向かうにしたがってＬＥＤユニットから遠ざかる方向へ傾斜している。
【発明の効果】
【００１４】
本発明の照明器具によれば、省スペースでも設置できるように小型化できるという効果を奏する。
【図面の簡単な説明】
【００１５】
【図１】本発明に係る一実施形態の照明器具の斜め下方から視た外観斜視図
【図２】図１の照明器具の垂直断面図
【図３】図１の照明器具の支柱を中心として斜め上方から視た外観斜視図
【図４】図１の照明器具の開口部を中心として斜め上方から視た外観斜視図
【図５】図１の照明器具の側面図
【図６】図１の照明器具の天板と支柱との分解斜視図
【図７】図１の照明器具のＬＥＤカバーの外観斜視図
【図８】図１の照明器具の組立手順を説明する第１段階の外観斜視図
【図９】図１の照明器具の組立手順を説明する第２段階の外観斜視図
【図１０】図１の照明器具の組立手順を説明する第３段階の外観斜視図
【図１１】従来の照明器具の一部破断側面図
【図１２】図１１の照明器具のカバー周りの外観斜視図
【図１３】図１１の照明器具の天板の平面図
【図１４】図１１の照明器具の支柱周りの外観斜視図
【発明を実施するための形態】
【００１６】
以下、本発明の一実施形態に係る照明器具について図面を参照して説明する。
本発明の一実施形態である照明器具１０は、天板１２を有する天板部１１と、天板１２の下面に取り付けられるＬＥＤユニット１４とＬＥＤカバー１５とを有する光源部１３と、複数の支柱１７を有する支柱部１６と、支柱部１６が一体成形された本体部１８とから構成されて本体部１８がポール１９に取り付けられる。
【００１７】
図１、図２に示すように、天板部１１は、天板１２が円形の板形状に形成されており、外周縁部に下方に突出した庇２０を有する。光源部１３は、ＬＥＤユニット１４が単一のＬＥＤ基板２１に複数のＬＥＤ光源２２を実装しており、ＬＥＤ基板２１が天板１２の下面に向けて位置されている。ＬＥＤカバー１５は、透明や乳白色の樹脂材料を用いて有底の円環形状に形成されており、底板２３上にＬＥＤユニット１４を載置して天板１２の下面に取り付けられている。
【００１８】
支柱部１６は、天板１２と本体部１８との間において天板１２の円周方向に開口部２４を挟んで４個の支柱１７を有する。本体部１８は、支柱１７の下端に一体成形されており、内部にＬＥＤ電源ユニット（充電部）２５が収容されている。ＬＥＤ電源ユニット２５は、両端部に取付部２６を有し、これら取付部２６が本体部１８の内部にネジ止めされている。なお、ＬＥＤ電源ユニット２５は、例えばソーラー発電により発生した電力を用いる場合は充電部に置き換えられる。本体部１８は、その下方端部の開口部２７にボス２８を有し、ボス２８へのネジ２９のネジ込みにより開口部２７が鋼製の裏板３０により閉塞されている。裏板３０はポール１９の内部の湿気を遮断する機能を有する。裏板３０には、ポール１９内に固定金具３１がネジ３２により取り付けられており、固定金具３１に樹脂製の複数の電源線押え具３３が取り付けられている。
【００１９】
図３、図４に示すように、支柱１７は、その水平断面形状が、本体部１８の中央部側よりも外方側の方が細く形成されており、一対の湾曲面状の側面３４を有する。支柱１７は、照明器具１０が施工された状態において、観察者からは、本体部１８の中央部側の太い端面は見えにくくなる。また、観察者からは、１本の支柱１７の両側面３４が同時に見えることが非常に少なく、それにより、支柱１７の太さを正確に認識できないようになっている。加えて、太さを認識する要素として、支柱１７の外方側の端面が細くなっているために、端面と側面３４だけを見ると、支柱１７の太さを正確に判断できずに、実際よりも細く感じさせる錯覚効果がある。これらにより、観察者の視覚効果を狙ってコンパクト感を付与できる。
【００２０】
図５に示すように、支柱１７と本体部１８とが交わる開口部２４の下面には傾斜面３５が形成されている。傾斜面３５は、本体部１８の中央部から外方側に向かうにしたがってＬＥＤユニット１４のＬＥＤ光源２２から遠ざかる方向へ下がって形成されている。ＬＥＤ光源２２は複数の支柱１７の間の開口部２４の斜め上方に配置されているために、傾斜面３５を介して、ＬＥＤ光源２２からの光を効率良く足元へ向けることにより、ＬＥＤ光源２２の光を有効的に活用することができる。
【００２１】
図６に示すように、支柱１７には、上端部から本体部１８の内部まで貫通した貫通孔３６をそれぞれ有する。そして、４本の支柱１７のうちの対向する２本の貫通孔３６に線材３７が挿通され、４本の支柱１７のうちの対向する残りの２本の貫通孔３６にリード線（図７参照）３８がそれぞれ１本づつ挿通される。線材３７は上端部および下端部に不図示のネジ部を有するスタッドボルトである。
【００２２】
図７に示すように、ＬＥＤカバー１５は、底板２３の周囲に有する側板３９の対向する２か所に線材支持溝４０を有し、線材支持溝４０の周方向の間の対向する２か所にリード線支持面４１を有する。線材支持溝４０は、支柱１７から突出している線材３７が天板１２にネジ込まれる際に天板１２に対して線材３７を支持する。リード線支持面４１は、ＬＥＤカバー１５が天板１２に取り付けられる際にＬＥＤ基板２１から上方に引き出されている２本のリード線３８のうちの１本をそれぞれ支持する。ＬＥＤ基板２１の上面には、高い電熱性を有するゴムシート４２がＬＥＤ光源２２に対応した位置に貼り付けられている。ゴムシート４２はＬＥＤユニット１４の放熱を司る。
【００２３】
図８に示すように、天板１２は、その下面にＬＥＤカバー１５のゴムシート４２と同位置に凸部４３が形成されている。凸部４３は、ＬＥＤユニット１４におけるＬＥＤ光源２２の発熱を集中的に吸収するヒートシンクの機能を有する。そして、天板１２は、庇２０の内面に、ＬＥＤカバー１５の線材支持溝４０に対応した線材支持部４４を有し、リード線支持面４１に対応したリード線支持部４５を有する。ＬＥＤカバー１５は、ＬＥＤユニット１４が収容された後に、側板３９の内側に透明なシリコンゴム材が充填される。シリコンゴム材はＬＥＤユニット１４の湿気による腐食を防止する。
【００２４】
そして、一対のリード線支持面４１により２本のリード線３８の１本毎をそれぞれ支持するとともに一対の線材支持溝４０により一対の線材３７をそれぞれ支持しながら、一対の線材３７の上端部が天板１２の下面に有する不図示の雌ネジ孔にそれぞれネジ込まれ、ＬＥＤカバー１５が天板１２に同芯で天板１２の下面に接着剤により接合される。このとき、２本のリード線３８の１本毎がリード線支持部４５によりそれぞれ支持され、一対の線材３７が一対の線材支持部４４によりそれぞれ支持される。ＬＥＤカバー１５は、その側板３９の上端面に発泡性を有するゴム材が貼り付けられているために、内部への湿気の浸入が防止される。
【００２５】
図９に示すように、線材３７は、それらの下端部が本体部１８の軸方向に内部まで貫通されて下端部にナット４６がネジ込まれる。これにより、支柱１７を介して天板１２が本体部１８に一体的に組み立てられる。このとき、支柱１７の上端面には、発泡性を有するゴム材が貼り付けられているために、支柱１７の貫通孔３６から本体部１８内への雨水の浸入が防止される。また、支柱１７の上端面は、ＬＥＤカバー１５の底板２３を天板１２の下面との間で挟み込んで天板１２の線材支持部４４の下端面とリード線支持部４５の下端面とに当接されるために、ゴム材が緩衝材の役割を果たして天板１２と支柱１７とをがたつきなく固定できる。リード線３８は、１本毎が本体部１８の内部に引き出され、本体部１８内でＬＥＤ電源ユニット２５にそれぞれ電気的に接続される。
【００２６】
図１０に示すように、本体部１８の内部に引き出されたリード線３８は、ポール１９内において電源線押え具３３により張力止めされる。電源線押え具３３は、ポール１９が埋設されている地中から配策されている不図示の電源線に弛みを生じないように張力止めする機能を有する。リード線３８はポール１９内で電源線に電気的に接続される。
【００２７】
従って、この一実施形態の照明器具１０においては、一対の支柱１７の貫通孔３６にリード線３８の単一本がそれぞれ挿通されるとともに、他の一対の支柱１７の貫通孔３６にそれぞれ挿通された線材３７により天板１２と本体部１８とが結合される。
これにより、この一実施形態の照明器具１０においては、従来のように、カバー取付金具でカバーを保持し、さらに支柱に溶接された鋼板部で天板と接続する構造を採用した場合の小型化の際に、鋼板部の面積を考慮して天板を大きくする必要がないので、省スペースでも設置できるように小型化できる。
【００２８】
また、この一実施形態の照明器具１０においては、支柱１７の水平断面形状が本体部１８の中央部側よりも外方側の方が細く形成されている。
これにより、この一実施形態の照明器具１０においては、観察者から本体部１８の中央部側の太い端面は見えにくくなるとともに支柱１７の太さを正確に認識できず、実際よりも細く感じさせる視覚効果によりコンパクト感を付与できる。
【００２９】
そして、この一実施形態の照明器具１０においては、支柱１７同士の間の開口部２４に本体部１８の中央部から外方側に向かうにしたがってＬＥＤ光源２２から遠ざかる方向へ下がって形成された傾斜面３５を有する。
これにより、この一実施形態の照明器具１０においては、従来のもののように天板をポールから大きく張り出させることなく、傾斜面３５を介してＬＥＤ光源２２からの光を効率良くポール１９の根元および足元へ向けることによりＬＥＤ光源２２の光を有効的に活用することができる。
【００３０】
なお、一実施形態で使用したＬＥＤユニット１４、本体部１８、ポール１９等は例示したものに限定するものではなく適宜変更が可能である。
【符号の説明】
【００３１】
１０  照明器具
１２  天板
１４  ＬＥＤユニット
１５  ＬＥＤカバー
１７  支柱
１８  本体部（本体）
２５  ＬＥＤ電源ユニット（充電部）
３６  貫通孔（リード線挿通孔）
３８  リード線
【図１】
0005501082.tif 000002
【図２】
0005501082.tif 000003
【図３】
0005501082.tif 000004
【図４】
0005501082.tif 000005
【図５】
0005501082.tif 000006
【図６】
0005501082.tif 000007
【図７】
0005501082.tif 000008
【図８】
0005501082.tif 000009
【図９】
0005501082.tif 000010
【図１０】
0005501082.tif 000011
【図１１】
0005501082.tif 000012
【図１２】
0005501082.tif 000013
【図１３】
0005501082.tif 000014
【図１４】
0005501082.tif 000015